(57)【要約】【課題】  工事現場などをパネルを段違いに並べて傾斜して設け、この傾斜に応じて斜めにパイプをパネルに取付ける場合に、穴加工が不要で、フック部を任意の角度で取付けられるようにした板体取付け用フック装置を提供すること。【解決手段】  対向する第１、第２の板部を有し、前記第１の板部に穴を有し、先端側に開口部を有する取付け部材と、フック部と、該フック部の一端から延設され、前記穴に回動自在に挿入された軸部を備えたフック体と、前記取付け部材の第１、第２の板部の間において、前記フック体の軸部に螺着された挟持ナットとから成り、板体の端部を前記取付け部材の開口部から挿入し、前記フック体を回動させることによって前記挟持ナットと前記軸部とを相対的に回動させて前記挟持ナットを前記取付け部材の第２の板部側に移動させて、前記フック部を所望の回動位置に保持させた状態で板体を前記挟持ナットと前記取付け部材の第２の板部とで挟持固定するようにした。【選択図】        図１
2005337323.tif 000002
【特許請求の範囲】
【請求項１】
対向する第１、第２の板部を有し、前記第１の板部に穴を有し、先端側に開口部を有する取付け部材と、
フック部と、該フック部の一端から延設され、前記穴に回動自在に挿入された軸部を備えたフック体と、
前記取付け部材の第１、第２の板部の間において、前記フック体の軸部に螺着された挟持ナットとから成り、
板体の端部を前記取付け部材の開口部から挿入し、前記フック体を回動させることによって前記挟持ナットと前記軸部とを相対的に回動させて前記挟持ナットを前記取付け部材の第２の板部側に移動させて、前記フック部を所望の回動位置に保持させた状態で板体を前記挟持ナットと前記取付け部材の第２の板部とで挟持固定するようにしたことを特徴とする板体取付け用フック装置。
【請求項２】
対向する第１、第２の板部を有し、前記第１の板部に一端側に開口した切欠き穴を有し、先端側に開口部を有する取付け部材と、
フック部と、該フック部の一端から延設され、前記切欠き穴に回動自在に挿入された軸部を備えたフック体と、
前記取付け部材の第１、第２の板部の間において、前記フック体の軸部に螺着された挟持ナットとから成り、
板体の端部を前記取付け部材の開口部から挿入し、前記フック体を回動させることによって前記挟持ナットと前記軸部とを相対的に回動させて前記挟持ナットを前記取付け部材の第２の板部側に移動させて、前記フック部を所望の回動位置に保持させた状態で板体を前記挟持ナットと前記取付け部材の第２の板部とで挟持固定するようにしたことを特徴とする板体取付け用フック装置。
【発明の詳細な説明】
【技術分野】
【０００１】
本発明は板体に取付けるためのフック装置に関する。
【背景技術】
【０００２】
一般に、例えば建設などの工事現場では、安全上、歩行者から遮断する囲いを作るために、多数のパネルを横並びに立設し、多数のパネルの内側に横方向に上下に複数段パイプ材を設けてこのパイプ材を各パネルの内側でフック装置によって支持することが行なわれている。
【０００３】
従来、このパイプの支持のために図６に示すフック装置（特許文献１）が用いられている。
【０００４】
このフック装置１はフック部２の一端に軸部３が延設され、軸部３の先端に細長い楕円形状の掛止片４が設けられ、この掛止片４に向って傘状に開いたバネ部材５が軸部３の中間に設けられている。
パネル６の縁板６ａには楕円形状の前記掛止片４が挿入できる長穴７を設ける。
【０００５】
従って、縁板６ａに傘状のバネ部材５を押し付けつつ長穴７に掛止片４の向きを合わせて挿通した後、図７に示すように、向きを９０°回転させて、掛止片の両端４ａ、４ｂとバネ部材５との間で長穴７の短巾の縁部が挟持された状態にしてフック装置１はパネル６の縁板６ａに固定される。
【０００６】
このようにして、図８に示すように、フック部２が上向きあるいは下向きになるようにフック部２でパイプ８を支持している。
【０００７】
【特許文献１】特開平５−３４０１４０
【発明の開示】
【発明が解決しようとする課題】
【０００８】
しかしながら、このような構造の従来のフック装置では、パネル６の縁板６ａに長穴７を加工しなければならず、この加工のためにコスト高になっていた。
【０００９】
また、建設などの工事現場では、例えば階段に沿った壁部の工事や傾斜地の工事など図９に示すようにパネル６、６、６、…を段違いに並べて配置し、パイプ８をこの傾斜に沿ってパネル６、６、６、…に対して斜めに設置しなければならない場合がある。
【００１０】
しかるに、従来のフック装置１では、掛止片４を長穴７の長手方向の向きに対してほぼ９０°回転させた状態にしないと、掛止片４の両端４ａ、４ｂと長穴７の縁部との接触面積が小さくなってがたついたり、外れたりするため、フック部２を長穴７の長手方向の向きにほぼ９０°にしかできないから、フック部２は真上向きか真下向きにしか取付けられなかった。
【００１１】
このため、図９に示すように、斜めのパイプ８に対してフック部２が垂直にならないため、フック部２の内周がパイプ８の外面に充分接触できず、がたついたり、支持が不充分になっていた。
【００１２】
本発明はこのような問題を解決し、板の穴加工が不要で、フック部を任意の角度で取付けられるようにした板体取付け用フック装置を提供することを目的としている。
【課題を解決するための手段】
【００１３】
前記目的を達成するために、本発明の請求項１の板体取付け用フック装置では、
対向する第１、第２の板部を有し、前記第１の板部に穴を有し、先端側に開口部を有する取付け部材と、
フック部と、該フック部の一端から延設され、前記穴に回動自在に挿入された軸部を備えたフック体と、
前記取付け部材の第１、第２の板部の間において、前記フック体の軸部に螺着された挟持ナットとから成り、
板体の端部を前記取付け部材の開口部から挿入し、前記フック体を回動させることによって前記挟持ナットと前記軸部とを相対的に回動させて前記挟持ナットを前記取付け部材の第２の板部側に移動させて、前記フック部を所望の回動位置に保持させた状態で板体を前記挟持ナットと前記取付け部材の第２の板部とで挟持固定するようにしたことを特徴としている。
【００１４】
また、本発明の請求項２の板体取付け用フック装置では、
対向する第１、第２の板部を有し、前記第１の板部に一端側に開口した切欠き穴を有し、先端側に開口部を有する取付け部材と、
フック部と、該フック部の一端から延設され、前記切欠き穴に回動自在に挿入された軸部を備えたフック体と、
前記取付け部材の第１、第２の板部の間において、前記フック体の軸部に螺着された挟持ナットとから成り、
板体の端部を前記取付け部材の開口部から挿入し、前記フック体を回動させることによって前記挟持ナットと前記軸部とを相対的に回動させて前記挟持ナットを前記取付け部材の第２の板部側に移動させて、前記フック部を所望の回動位置に保持させた状態で板体を前記挟持ナットと前記取付け部材の第２の板部とで挟持固定するようにしたことを特徴としている。
【発明の効果】
【００１５】
本発明の板体取付け用フック装置はこのように構成されているため、板体の端部を前記取付け部材の開口部から内部へ挿入し、前記フック部を手に持って回動させて挟持ナットと取付け部材の第２の板部とで板体の端部を挟持して、前記フック部を所望の回動位置の状態にして板体の端部に取付けることができる。また、板体への穴加工を不要にすることができる。
【発明を実施するための最良の形態】
【００１６】
以下、図面に基づいて本発明の実施の形態を説明する。
図１〜３は本発明の一実施形態の板体取付け用フック装置１０を示している。
【００１７】
この板体取付け用フック装置１０は、取付部材２０、フック体３０、挟持ナット４０を備えている。
【００１８】
取付け部材２０は断面ほぼ「Ｕ」字状（あるいは「コ」の字状でもよい）であって、対向した互いに平行な第１、第２の板部２１、２２を有し、第１、第２の板部２１、２２の先端側に開口部２３が設けられている。
第１の板部２１には円形の穴２４が設けられている。
【００１９】
フック体３０は、ほぼ半円形状に湾曲したフック部３１を有し、このフック部３１の一端から、フック部３１の形成する円のほぼ直径方向の延長線に沿って、前記取付け部材２０の第１の板部２１の穴２４内に回動可能に挿通された軸部３２が、延設されている。
【００２０】
軸部３２の先端外周にはネジ面３３が設けられている。また、軸部３２には、軸部３２が第１の板体２１から外側へ抜けないようにストッパ３４が設けられている。
【００２１】
取付け部材２０の第１、第２の板部２１、２２の間において、前記フック体３０の軸部３２の先端に挟持ナット４０が螺着されている。
【００２２】
挟持ナット４０とフック体３０を相対的に回動させると、この回動方向によって、挟持ナット４０は軸部３２に沿って第１の板部２１側へ、あるいは第２の板部２２側へ移動する。
【００２３】
従って、図２に示すように、パネルの縁板６ａ（図８に示すものと全く同様に、縁板６ａはパネル６の横方向の端部から折曲げられている。）を取付け部材２０の開口部２３から第２の板部２２と挟持ナット４０との間に挿入するように取付け部材２０を位置させた後、作業者がフック部３１を手に持って挟持ナット４０を縁板６ａに押し付けるようにして、フック部３１を回動させると、縁板６ａとの摩擦力で挟持ナット４０は回動せず、図３に示すように、フック部（及び軸部３２）３１の回動に伴って挟持ナット４０は第２の板部２２側へ移動し、この結果、縁板６ａは第２の板部２２と挟持ナット４０の間で挟持されて、パネルの縁板６ａにフック装置１０は固定される。
【００２４】
従って、フック部３１の回動位置を調整して、所望の回動位置に保持させた状態でパネルの縁板６ａにフック装置１０を取付けることができる。
【００２５】
このように、フック部３１の向きを所望の回動位置にしてパネル６の縁板６ａに取付けることができるから、例えば階段の壁や傾斜地を囲うために、図４に示すように、パネル６、６、６、…を傾斜に沿って段違いに並べ、パイプ８をこの傾斜に対応して斜めに設置する場合に、パイプ８の傾斜角に対応して、パイプ８に対してフック部３１が垂直になるようにフック部３１の向きを調整すれば、パイプ８がフック部３１の湾曲に沿って深く支持されるから、がたつきなく確実な支持が行なえるようになる。
【００２６】
また、フック部３１を作業者が手に持って固定時とは逆方向に回動させれば、簡単にパネル６の縁板６ａからフック装置１０を取り外すことができる。
【００２７】
このようにこのフック装置１０では、パネル６の縁板６ａに穴加工をする必要がなく、しかもスパナなどの工具を用いず、フック部３１を手で回動させるだけで簡単に取付け及び取外しができる。
【００２８】
なお、図５に示すように、取付け部材２０の第１の板部２１に前記穴２４の代わりに、一端側に開口した切欠き穴２５を設けてもよい。
【００２９】
このようにすれば、フック体３０の軸部３２に挟持ナット４０を螺着した状態で、切欠き穴２５に外側から軸部３２を横方向に挿入することができる。
【図面の簡単な説明】
【００３０】
【図１】本発明の一実施形態を示す斜視図図である。
【図２】同実施形態の使用状態を示す断面図である。
【図３】同実施形態の使用状態を示す断面図である。
【図４】同実施形態の使用状態説明図である。
【図５】本発明の他の実施形態を示す斜視図図である。
【図６】従来装置を示す断面図である。
【図７】同従来装置の動作説明図である。
【図８】同従来装置の使用状態を示す斜視図である。
【図９】同従来装置の使用状態を示す説明図である。
【符号の説明】
【００３１】
１０      フック装置
２０      取付け部材
２１      第１の板部
２２      第２の板部
２３      開口部
２４      穴
２５      切欠き穴
３０      フック体
３１      フック部
３２      軸部
４０      挟持ナット
【図１】
2005337323.tif 000003
【図２】
2005337323.tif 000004
【図３】
2005337323.tif 000005
【図４】
2005337323.tif 000006
【図５】
2005337323.tif 000007
【図６】
2005337323.tif 000008
【図７】
2005337323.tif 000009
【図８】
2005337323.tif 000010
【図９】
2005337323.tif 000011